(57)【要約】      （修正有）【課題】ミシンの下糸として用いられるボビンに巻かれた糸の解れを防ぐために、その糸先端を固定するボビンの糸先端止め具に関するものである。【解決手段】ボビンの軸部１の左右両端に設けている糸保持板２の両外周部３を掛け渡してボビン４を抱え込む可撓性のある細長板によってボビンの糸先端止め具５を形成してその糸先端止め具の中央となる部分を基板部６とし、その基板部の左右の辺より折り曲げ部７を介して腕部８、８を設け、その左右の腕部を左右の糸保持板側に折り曲げてから軸孔１０の位置に屈曲部１１を設け、その屈曲部より軸孔の直径の幅より少し幅のある挿入部９や折返し部のある挿入部を設けて、軸部内に収まって軸孔にきつく差し込める挿入部とした構成である。【選択図】図３
2011062507.tif 000002
【特許請求の範囲】
【請求項１】
ボビンの軸部の左右両端に設けている糸保持板の両外周部を掛け渡してボビンを抱え込む可撓性のある細長板によってボビンの糸先端止め具を形成し、その糸先端止め具の中央となる部分を基板部とし、その基板部の左右の位置より折り曲げ部を介して腕部を左右に設け、その左右の腕部を左右の糸保持板側に折り曲げて軸孔の位置に屈曲部を設け、その屈曲部より先に軸部内に収まって軸孔にきつく差し込める挿入部を形成して軸孔に差し込むことでボビンに糸先端止め具を固着する構成とし、巻き糸の回動方向となる基板部の縁に切込みによる糸止め部を設けた構造としたことを特徴とするボビンの糸先端止め具。
【請求項２】
左右の挿入部の一方を軸部内に収まらず軸孔より抜け出る長さとしたことを特徴とする請求項１に記載のボビンの糸先端止め具。
【請求項３】
軸孔に差し込んだ挿入部を軸孔の長さより長く延長し、その抜け出た挿入部に軸孔の直径より幅の大きい掛止部を設けたことを特徴とする請求項１に記載のボビンの糸先端止め具。
【請求項４】
挿入部の幅を軸孔の直径の幅より小さい幅とし、その左右の挿入部の一方において、その挿入部の先方となる部分に跳ね返り曲部を介して軸孔内に納まる長さの折返し部を設けたことを特徴とする請求項１に記載のボビンの糸先端止め具。
【請求項５】
糸先端止め具のボビンの回動方向となる基盤部の前後の縁より少なくとも一方向の基盤部６の縁から適宜の長さに延長させた吊掛部を設け、その吊掛部の外側となる縁に切込みによる糸止め部を設けた構造としたことを特徴とする請求項１乃至請求項４のうちのいずれか１項に記載のボビンの糸先端止め具。
【発明の詳細な説明】
【技術分野】
【０００１】
本発明は、ミシンの下糸として用いられるボビンに巻かれた糸の解れを防ぐために、その糸先端を固定するボビンの糸先端止め具に関するものである。
【背景技術】
【０００２】
従来、ボビンに巻かれた糸がミシンの引き出しや収納容器等に入れて置くときにボビンに巻かれた下糸の先端部がボビンから解れ出して他のボビンから解れ出している糸と絡まったり、ミシン用器具等と絡み合ったり、解れた糸が長く引き出されてしまったりする事を防ぐものとして、ボビンの巻胴の両端に設けた糸保持板の間に挿入自在とした胴部をもち、その少なくとも一端側に爪部を突設した滑り面を延設し、その滑り面に糸溝を刻設した胴部を輪状に曲設し、その輪状の両端の間に間隔部を設けて互いに対向させ、弾発性を具える安定バンドの特許文献２があった。
【０００３】
また、一端部から他端部にわたり所定の長さを有する弾性材本体を少なくともほぼ半円形状に形成し、ボビンに巻かれた糸をその外方から押え可能としいて、ボビンに巻かれた糸の外周面より離れる方向に折り曲げたり、弾性材本体の端部に糸掛り止め用の切り目を設けたりしたボビンの糸止め具の特許文献３もあった。
【０００４】
それから、ボビンの内側寸法よりやや小さめの幅を持ち、概半円形状で柔軟性を有し一端に１個又は複数個のカギ固定部を有する止め具本体と、ボビンの内側寸法より小さな幅を持ち、概半円形状でばね性を有し、一端に固定用カギ部を有する止め部を有し、止め具本体の他端と止め部の他端は回動自在に固定されたボビン用糸止め具の特許文献１があった。
【先行技術文献】
【特許文献】
【０００５】
【特許文献１】特開２００７−５４５６７号公報
【特許文献２】実開昭５６−９６０６２号公報
【特許文献３】実開昭６３−１７７４８９号公報
【発明の概要】
【発明が解決しようとする課題】
【０００６】
従来の文献で示す技術では、ボビンの糸を巻く軸部の両端に設けた糸保持板の間にボビン用糸止め具を装着させてボビンの軸部に巻かれた糸の外方から押さえる弾性材によって形成しているものであるため、狭い糸保持板の間において糸止め具の装着と取外しとを操作することのやり難さがあるものであった。
【０００７】
また、糸の外方から押さえる弾性材であるために、糸の巻き数が多い状態から少ない状態に変化するものであるから、その糸の巻き数が少ない状態になったときの糸の外方から押さえる弾性力が弱くなる変化に対応することが出来なくなって押さえていた糸止め具が回動することになるので糸押さえが不充分となる欠点が起きるものでもあった。
【課題を解決するための手段】
【０００８】
本発明は以上のようか問題点を解決するもので、図３に示すように、ボビンの軸部１の左右両端に設けている糸保持板２の両外周部３を掛け渡してボビン４を抱え込む可撓性のある細長板によってボビン４の糸先端止め具５を形成し、その糸先端止め具５の中央となる部分を基板部６としているものである。
【０００９】
そして、図１に示すように、その基板部６の左右の位置より折り曲げ部７を介して腕部８、８を左右に設けてその先に屈曲部１１を介して左右の挿入部９を軸部１内に収まる長さに設け、その挿入部９の幅を軸孔１０の直径より少し広くし、左右の腕部８、８を左右の糸保持板２側に折り曲げてからその挿入部９の幅をＵ字状に反り曲げて樋状にし、その挿入部９の幅を狭くしながら挿入部９を軸孔１０に差し込み、その差し込みが終るときにはその反り曲がった挿入部９が元に戻ろうとする反発力によって軸孔１０に挿入部９を固着するものとしている。
【００１０】
それから、その腕部８、８の折り曲げ部７から軸孔１０までの長さとなる位置に屈曲部１１を設けることは、図３に示すように、挿入部９が軸孔１０に差し込み易く成るものであり、本実施例における折り曲げ部７や屈曲部１１は折り曲げと曲げ戻しとの操作を数多く行われる個所となるのであるから、その操作に対応する可撓性のある細長板としてはポリプロピレン樹脂を使用し、その厚さが０．８ミリメートルの板を使用しているものであって、その他の素材を使用することは自由である。
【００１１】
そして、図４に示すように、一方の挿入部９を軸孔１０より抜け出る長さにすることが考えられて、その長くした挿入部９を先に軸孔１０に差し込むと軸孔１０より抜け出た部分が後から軸孔１０に差し込む挿入部９の案内役となって差し込みが容易になるものであり、そのボビン４の回動方向となる基板部６の前縁や後縁に切込みによる糸止め部１２を設けたものとしている。
【００１２】
その他の手段としては、軸孔１０に差し込んだ挿入部９が反り返りの反発力によって固着する他に、軸孔１０に差し込んだ挿入部９が抜け難く安定する手段として、図５に示すように、挿入部９を軸孔１０より貫け出る長さに延長し、その貫け出た挿入部９を軸孔１０の直径より幅のある掛止部１３として設け、その掛止部１３の幅を反り曲げて軸孔１０より貫け出すことで反り曲げた掛止部１３が元の幅に戻って軸孔１０の直径より広くなるので軸孔１０より抜け出ないものとし、掛止部１３と挿入部９との境に掛止部１３が上向きに曲がる曲げ部１７を設けて後から差し込む挿入部９が差し込めるようにすることが考えられる。
【００１３】
軸孔１０に差し込んだ挿入部９を固定する他の方法としては、図８に示すように、挿入部９の幅を軸孔１０の直径の幅より小さい幅として挿入部９が軸孔１０に差し込み易いものとし、その左右の挿入部９の一方において、その挿入部９の先方となる部分に跳ね返る機能のある跳ね返り曲部１８を介して軸孔１０内に納まる長さの折返し部１９を設けることが考えられ、その折返し部１９を挿入部９側に折返した状態で軸孔１０に差し込めばその折返し部１９の跳ね返り機能によって元に戻ろうとする反発力で軸部１の内側面に強く接触することに成り、挿入部９を固定することが出来るものである。
【００１４】
収納時における収納基盤１４を考えると、収納基盤１４に切り溝による吊り掛け溝１５
を複数設け、図６に示すように、ボビン４の回動方向となる基盤部６の前後の縁に少なくとも一方の基盤部６より適宜の長さに延長させた吊掛部１６を設け、その一方の吊掛部１６を収納基盤１４に設けている吊り掛け溝１５に挿入する収納方法が考えられ、基盤部６から吊掛部１６を延長しているとその基盤部６が広がった面となるのでその面に記載や広告ができ、その面を下にして平面に収納すればボビン４の収まりが良くなるものである。
【発明の効果】
【００１５】
本発明は、ボビンを巻く軸部１の両端に設けた糸保持板２，２の狭い間ではなく広い外側からボビンの糸先端止め具５を装着させるものであるから、糸先端止め具５の装着と取外しとの操作が容易でボビンの糸が解れ出ないものである。
【００１６】
そして、糸先端止め具５は軸部１の中に可撓性の挿入部９を反り曲げて差し込んでから挿入部９が元に戻ろうとすることでその軸部１と挿入部９とが固定状態となり、基板部６の糸止め部１２に固定された糸端がボビン４から解れ出すことが起きないことになるので他のものと絡まない収納整理が出来るものに成り、それに、図6に示すように、基盤部６から吊掛部１６を延長するとその広さが広がった面として形成されることになり、その広がった面に広告や分類記号などの記載が出来、延長した面を下にして収納すればボビン４の収まりが良くなるものである。
【００１７】
更に、図７に示すように、収納基盤１４に吊り掛け溝１５を複数設けたものを利用すれば、収納基盤１４の吊り掛け溝１５に糸先端止め具５の吊掛部１６を吊り掛けることで取扱いや収納が簡単で取扱い易い優れた収納効果と成るものである。
【図面の簡単な説明】
【００１８】
【図１】本発明の実施例１を示す展開図である。
【図２】ボビンを示す斜視図である。
【図３】ボビンに糸先端止め具を取付けの途中を示す斜視図である。
【図４】一方の腕部の先端を長くした糸先端止め具を示す展開図である。
【図５】挿入部に幅のある掛止部を設けた糸先端止め具を示す展開図である。
【図６】基盤部の前後に吊掛部を設けた糸先端止め具を示す展開図である。
【図７】収納基盤の吊り掛け溝に吊掛部を挿入した収納状態を示す斜視図である。
【図８】挿入部に跳ね返り曲部を介して折返し部を設けた展開図である。
【発明を実施するための形態】
【００１９】
本発明は以上のようか問題点を解決するものであって、以下、実施の形態を図面により説明する。
【実施例１】
【００２０】
実施例の一つとしては、図３に示すように、ボビン４の軸部１の左右両端に設けている糸保持板２の両外周部３を掛け渡してボビン４を抱え込む可撓性がある細長板によって糸先端止め具５を形成し、図１に示すように、糸保持板２の両外周部３を掛け渡している部分を基板部６としてその基板部６の長さ方向となる左右の位置より折り曲げ部７を介して腕部８、８を左右に設け、その腕部８、８の先に屈曲部１１を介して挿入部９を形成しているものである。
【００２１】
この挿入部９は軸部１内に収まる長さで軸孔１０の内径に挿入することが容易に出来る幅よりもきつめに挿入する少し幅広とした左右の挿入部９とし、図３に示すように、左右の腕部８、８を左右の糸保持板２側に折り曲げてからその挿入部９の幅をＵ字状に反り曲げて樋状にしてその幅を狭くしながら挿入部９を軸孔１０に差し込み、差し込んだ後にその反り曲がった挿入部９が元に戻ろうとする反発力によって軸孔１０に挿入部９を固着するものとしている。
【００２２】
その反り曲がった挿入部９が元に戻ろうとする反発力によって軸孔１０に挿入部９を固着するものの他に、挿入部９の横縁に摩擦抵抗の大きいものを設けたり、軸孔１０に対して挿入部９の幅をテーパー状やきつく押し込む幅にしたりすることが考えられるものである。
【００２３】
そして、その腕部８、８の折り曲げ部７から軸孔１０までの長さとなる位置に屈曲部１１を設けて挿入部９を軸孔１０に差し込み易くしたものとして形成し、ボビン４の回動方向となる基板部６の前方や後方の縁に切込みによる糸止め部１２を設け、この糸止め部１２は片側だけに設けたものとしても良いものである。
【実施例２】
【００２４】
他の実施例としては、図４に示すように、両挿入部９の一方の長さを軸孔１０より貫け出る長さにすることが考えられ、この貫け出る長さのある挿入部９を最初に差し込むことでその挿入部９が軸孔１０より外側に飛び出た状態になる。
【００２５】
そして、他方の挿入部９を軸孔１０に差し込むときには、軸孔１０より外側に飛び出た挿入部９が案内役となるので、飛び出た挿入部９の面に沿って他方の挿入部９を軸孔１０に挿入することが容易なものとなる。
【実施例３】
【００２６】
その他の実施例としては、図５に示すように、軸孔１０に差し込んだ挿入部９が反り返りの反発力によって固着する他に軸孔１０に差し込んだ挿入部９が抜け難く安定する手段が考えられものである。
【００２７】
その考えられる手段としては、挿入部９を軸孔１０より貫け出る長さに延長し、その貫け出た挿入部９を軸孔１０の直径より幅のある掛止部１３を設けることが考えられるもので、その掛止部１３を軸孔１０に差し込むときには掛止部１３の幅を内側に反り曲げながら差し込み、その掛止部１３が軸孔１０より外に貫け出ると可撓性のある掛止部１３が幅のある元の状態に戻ることで軸孔１０よりの抜け出しを安定状態とすることが出来るものとしている。
【００２８】
そして、この掛止部１３が軸孔１０より外に貫け出た左右の掛止部１３がボビン４の糸保持板２より外側に広がることになるが、ボビン４に巻かれた糸の解れを防ぐことには支障がないものであって、挿入部９の一方の長さを長めにし、その長めにした挿入部９を後から軸孔１０に差し込む順序にしないと後から差し込む挿入部９の掛止部１３が軸孔１０の外で曲げることが困難になるものであり、挿入部９と掛止部１３との境に上側に曲がる曲げ部１７を設けて後からの差し込みを容易にすることが考えられるものである。
【実施例４】
【００２９】
軸孔１０に差し込んだ挿入部９を固定する他の方法としては、図８に示すように、挿入部９の幅を軸孔１０の直径の幅より小さい幅とすることで挿入部９が軸孔１０に差し込み易いものとして形成し、その左右の挿入部９の一方において、その挿入部９の先方となる部分に跳ね返る機能のある押し圧による折り曲げ線や返り曲げる内側を薄手にした折り曲げ線等による跳ね返り曲部１８を介して軸孔１０内に納まる長さの折返し部１９を設けることが考えられる。
【００３０】
この折返し部１９を軸孔１０に差し込ときには、その折返し部１９を挿入部９の側に折返した状態で軸孔１０に差し込むものであって、この折返された折返し部１９が元に戻ろうとする跳ね返る機能による反発力が軸部１の内側面に強く接触することに成るので、挿入部９を固定することが出来るものである。
【実施例５】
【００３１】
実施例５としては、収納時整理し易い糸先端止め具５を考えるもので、図６に示すように、基板部６のボビン４が回動方向となる前後縁の一方若しくは両方の縁より適宜の長さに延長させた吊掛部１６を設けることが考えられるもので、図７に示すように、収納容器の大きさに適合する収納基盤１４に切り溝による吊り掛け溝１５を複数設けて収納基盤１４を形成することが考えられるものである。
【００３２】
この収納基盤１４の使用方法は、基板部６の前後の縁より適宜の幅に延長させた一方の吊掛部１６を収納基盤１４に設けている吊り掛け溝１５に挿入することで、その挿入した吊掛部１６には収納基盤１４の下向きに重みが掛かるもので、基板部６が収納基盤１４の前後方向に働く抜け落ちる力は弱くなるので保持することが出来るものになり、糸先端止め具５を掛け止める収納方法が出来るものであり、吊掛部１６の前後となる縁に切込みによる糸止め部１２を設けて置くことは当然のことである。
【００３３】
基板部６の吊掛部１６が収納基盤１４の吊り掛け溝１５からより一層の抜け落ちないものにすることを考えるとすれば、吊掛部１６の横となる片方の縁に凸凹を設けた吊掛部１６に形成して他方の縁を平坦とすれば、この吊掛部１６を吊り掛け溝１５に挿入するときには吊掛部１６の平坦側の縁を吊り掛け溝１５の横縁に押し当てながら挿入し、挿入し終ったときに基板部６を凸凹の縁側に動かすことで凸凹の縁と吊り掛け溝１５の横縁とが掛かり合って抜け落ちを止めることができるもので、この抜け落を止める手段としては他に様々なものが考えられるものである。
【符号の説明】
【００３４】
１  軸部
２  糸保持板
３  両外周部
４  ボビン
５  糸先端止め具
６  基板部
７  折り曲げ部
８  腕部
９  挿入部
１０  軸孔
１１  屈曲部
１２  糸止め部
１３  掛止部
１４  収納基板
１５  吊り掛け溝
１６  吊掛部
１７  曲げ部
１８  跳ね返り曲部
１９  折返し部
【図４】
2011062507.tif 000003
【図８】
2011062507.tif 000004
【図１】
2011062507.tif 000005
【図２】
2011062507.tif 000006
【図３】
2011062507.tif 000007
【図５】
2011062507.tif 000008
【図６】
2011062507.tif 000009
【図７】
2011062507.tif 000010